(57)【要約】  画像形成素子を照明する光源装置であって、基板と、前記基板を回転させる駆動源と、前記基板の表面上に、該基板の回転軸を囲むように設けられた溝と、前記溝内に形成された蛍光体層と、前記蛍光体層に照射されるレーザ光を出射するレーザ光源と、前記レーザ光によって励起された前記蛍光体層から発せられる第１の光を前記画像形成素子へ導く光学系とを有する。
2012137305.tif 000002
【特許請求の範囲】
【請求項１】
画像形成素子を照明する光源装置であって、
基板と、
前記基板を回転させる駆動源と、
前記基板の表面上に、該基板の回転軸を囲むように設けられた溝と、
前記溝内に形成された蛍光体層と、
前記蛍光体層に照射されるレーザ光を出射するレーザ光源と、
前記レーザ光によって励起された前記蛍光体層から発せられる第１の光を前記画像形成素子へ導く光学系と、を有する、光源装置。
【請求項２】
請求項１に記載の光源装置であって、前記溝の幅が前記基板上における前記レーザ光のスポットサイズよりも狭い、光源装置。
【請求項３】
請求項１または請求項２に記載の光源装置であって、
前記第１の光とは異なる波長帯域に属する第２の光を出射する第１の固体光源を有し、
前記光学系は、前記第１の光および前記第２の光を前記画像形成素子へ導く、光源装置。
【請求項４】
請求項３に記載の光源装置であって、
前記溝内には、前記基板の回転方向に沿って第１の蛍光体層と第２の蛍光体層とが形成され、
前記第１の蛍光体層は、前記レーザ光によって励起されて前記第１の光を発し、
前記第２の蛍光体層は、前記レーザ光によって励起されて、前記第１の光および前記第２の光とは異なる波長帯域に属する第３の光を発し、
前記光学系は、前記第１から第３の光を前記画像形成素子へ導く、光源装置。
【請求項５】
請求項３に記載の光源装置であって、
前記第１の光および前記第２の光とは異なる波長帯域に属する第３の光を出射する第２の固体光源を有し、
前記光学系は、前記第１から第３の光を前記画像形成素子へ導く、光源装置。
【請求項６】
請求項１乃至請求項５のいずれかに記載の光源装置であって、
前記溝の内面に反射膜が形成され、該反射膜の上に前記蛍光体層が積層されている、光源装置。
【請求項７】
請求項１乃至請求項６のいずれかに記載の光源装置であって、前記溝の幅が一定である、光源装置。
【請求項８】
請求項１乃至請求項６のいずれかに記載の光源装置であって、前記溝の幅が前記基板の裏面側から表面側に向かって次第に拡大している、光源装置。
【請求項９】
画像形成素子と、前記画像形成素子を照明する照明光学系と、前記画像形成素子から出射される光を投写する投写光学系とを有する投写型表示装置であって、
前記照明光学系は、請求項１乃至請求項８のいずれかに記載の光源装置を含む、投写型表示装置。
【発明の詳細な説明】
【技術分野】
【０００１】
本発明は、光源に関するものであり、特に、投写型表示装置に適した光源に関するものである。
【背景技術】
【０００２】
これまで投写型表示装置の光源には、超高圧水銀ランプ、メタルハライドランプ、キセノンランプなどの放電ランプが使われてきた。しかし、近年、発光ダイオード（ＬＥＤ（Light-emitting  Diode））やレーザダイオード（ＬＤ（Laser  Diode））などの固体光源が次世代光源として注目されている。【０００３】
レーザダイオードを投写型表示装置の光源として用いる場合、安全上の理由から、レーザ光をそのまま利用することは好ましくなく、レーザ光をインコヒーレントな光に変換してから利用することが好ましい。例えば、レーザダイオードから出射されたレーザ光によって蛍光体を励起し、励起された蛍光体から放出された光を利用することが好ましい。そこで、レーザダイオードと、レーザダイオードから出射されたレーザ光が照射される蛍光体層が形成された基板とを有する光源装置が提案されている。【０００４】
しかし、蛍光体層に照射されるレーザ光は数Ｗ〜数十Ｗの出力を有する。また、蛍光体層に照射されるレーザ光のスポットサイズは非常に小さい（1.0mm2前後）。このため、蛍光体層の一点にレーザ光が連続して照射されると、蛍光体や蛍光体に含まれているバインダなどが熱によって損傷を受ける。【０００５】
そこで、図１や図２に示すようなカラーホイル１を備えた光源装置が提案されている。図１や図２に示されているカラーホイル１は、円形基板２と、該円形基板２を回転させるためのモータ３とを有する。また、図示されている円形基板２の表面は、第１セグメント領域と第２セグメント領域とに分けられている。【０００６】
図１に示す円形基板２の第１セグメント領域には、レーザ光によって励起されると緑色光を発する緑色蛍光体層４が形成されており、第２セグメント領域には、レーザ光によって励起されると赤色光を発する赤色蛍光体層５が形成されている。【０００７】
図２に示す円形基板２の第１セグメント領域には、レーザ光によって励起されると緑色光を発する緑色蛍光体層４が形成されおり、第２セグメント領域には拡散層６が形成されている。【０００８】
図１や図２に示すカラーホイル１では、連続回転する円形基板２の上に蛍光体層が設けられている。よって、蛍光体層上の一点に連続してレーザ光が照射され続けることがなく、蛍光体や蛍光体に含まれているバインダの熱損が回避される。
【先行技術文献】
【特許文献】
【０００９】
【特許文献１】特開２００９-２７７５１６号公報
【特許文献２】特開２０１１-０１３３１３号公報
【発明の概要】
【発明が解決しようとする課題】
【００１０】
投写型表示装置全体における光の利用効率は、照明光学系のエテンデューと投写光学系のエテンデューとのマッチングに大きく依存する。【００１１】
ここで、投写型表示装置の画像形成素子にＤＭＤ（Digital  Micro-mirror  Device）が使用されている場合には、ＤＭＤを照明する光の偏光方向を揃える必要はない。このような場合、次式が成り立てば、照明光学系のエテンデュー（ＥLight）と投写光学系のエテンデュー(ＥMD)とはマッチングする。【００１２】
ＥLight≦ＥMD
また、投写型表示装置の画像形成素子に液晶パネルが使用されている場合、液晶パネルを照明する光の偏光方向を揃える必要がある。このような場合、照明光学系のエテンデュー（ＥLight）は実効的に２倍になる。よって、次式が成り立てば、照明光学系のエテンデュー（ＥLight）と投写光学系のエテンデュー(ＥLCD)とはマッチングする。【００１３】
２ＥLight≦ＥLCD
したがって、照明光学系のエテンデューと投写光学系のエテンデューとをマッチングさせるためには、照明光学系のエテンデューを小さくすることが望ましい。【００１４】
しかし、レーザ光によって励起された蛍光体から放出される光は散乱する。このため、図３に示すように、基板１０の上に形成された蛍光体層１１から発せられる光１２の直径（Ｄ１）がレーザ光１３のスポットサイズ（Ｄ２）よりも大きくなってしまう。換言すれば、蛍光体層１１の発光面積がレーザ光の照射面積よりも大きくなってしまう。したがって、図１や図２に示すカラーホイル１を備えた光源装置を用いて照明光学系を構成した場合、該照明光学系のエテンデューと投写光学系のエテンデューとをマッチングさせることが困難になる。【００１５】
本発明の目的は、レーザ光源を用いた光源装置のエテンデューをなるべく小さくし、投写型表示装置の光利用効率を向上させることである。
【課題を解決するための手段】
【００１６】
画像形成素子を照明する光源装置であって、基板と、前記基板を回転させる駆動源と、前記基板の表面上に、該基板の回転軸を囲むように設けられた溝と、前記溝内に形成された蛍光体層と、前記蛍光体層に照射されるレーザ光を出射するレーザダイオードと、前記レーザ光によって励起された前記蛍光体層から発せられる第１の光を前記画像形成素子へ導く光学系とを有する。【００１７】
本発明の投写型表示装置は、上記本発明の光源装置を含む照明光学系を備えている。
【発明の効果】
【００１８】
本発明によれば、レーザ光源を用いた光源装置のエテンデューを小さくすることができる。本発明によれば、投写型表示装置の照明光学系と投写光学系のエテンデューをマッチングさせやすくなる。
【図面の簡単な説明】
【００１９】
【図１】図１は、本発明と関連するカラーホイルの一例を示す平面図および側面図である。
【図２】図２は、本発明と関連するカラーホイルの他例を示す平面図および側面図である。
【図３】図３は、図１、図２に示されているカラーホイルの模式的断面図である。
【図４】図４は、本発明の光源装置の第１の実施形態を示す構成図である。
【図５】図５は、図４に示されているカラーホイルの平面図および側面図である。
【図６】図６は、図４に示されているカラーホイルの模式的断面図である。
【図７】図７は、カラーホイルの変形例を示す模式的断面図である。
【図８】図８は、図４に示されている光源装置を備えた投写型表示装置の外観斜視図である。
【図９】図９は、図８に示されている投写型表示装置の内部構造を示す模式図である。
【図１０】図１０は、本発明の光源装置の第２の実施形態を示す構成図である。
【発明を実施するための形態】
【００２０】
（第１の実施形態）
以下、本発明の光源装置の第１の実施形態について説明する。図４に示すように、本実施形態に係る光源装置２０は、青色のレーザ光を出射するレーザ光源（レーザダイオード）３０、第１の固体光源（青色発光ダイオード）４０、ダイクロイックミラー５０、カラーホイル６０および複数の光学素子を有する。以下の説明では、レーザダイオード３０を“ＬＤ３０”と表記し、青色発光ダイオード４０を“青色ＬＥＤ４０”と表記する。
【００２１】
ＬＤ３０から出射されたレーザ光は、ダイクロイックミラー５０によって反射されてカラーホイル６０に入射する。カラーホイル６０に入射したレーザ光は、カラーホイル６０上の蛍光体によって赤色光または緑色光に変換される。変換された赤色光または緑色光は、ダイクロイックミラー５０を含む複数の光学素子を介して不図示の照明対象に照射される。一方、青色ＬＥＤ４０から出射された青色光は、ダイクロイックミラー５０によって反射された後に、複数の光学素子を介して照明対象に照射される。要するに、本実施形態に係る光源装置２０は、レーザ光を波長変換して得た赤色光および緑色光と、青色ＬＥＤ４０から出射された青色光とによって照明対象を照明する。以下、各構成要素について具体的に説明する。
【００２２】
ダイクロイックミラー５０は、青色光を反射し、赤色光および緑色光を透過させる波長選択性を有する。図４に示すように、ＬＤ３０と青色ＬＥＤ４０は、ダイクロイックミラー５０を挟んで対向している。また、ダイクロイックミラー５０とカラーホイル６０との間には、第１のレンズ群が配置されており、ダイクロイックミラー５０と青色ＬＥＤ４０との間には第２のレンズ群が配置されている。第１のレンズ群および第２のレンズ群は、光を平行化するコリメータレンズ群である。
【００２３】
図４に示すように、ダイクロイックミラー５０を透過する赤色光および緑色光の光路上には、集光レンズ７０、ロッドレンズ７１、リレーレンズ群７２および反射ミラー７３がこの順で配置されている。なお、青色ＬＥＤ４０から出射され、ダイクロイックミラー５０によって反射される青色光の光路は、ダイクロイックミラー５０を透過する赤色光および緑色光の光路と同一である。
【００２４】
次に、カラーホイル６０について説明する。図５、図６に示すように、カラーホイル６０は、円形のガラス基板６１と、該ガラス基板６１を回転させるための駆動源（モータ６２）とを有する。なお、図６ではモータ６２の図示は省略してある。
【００２５】
ガラス基板６１の表面には、該基板６１と同心のリング状の凹部（溝６３）が形成されている。図５中の鎖線は、ダイクロイックミラー５０（図４）によって反射されてガラス基板６１に入射するレーザ光の軌跡を示している。すなわち、溝６３はレーザ光の軌跡に沿って形成されている。換言すれば、レーザ光は溝６３をトレースする。
【００２６】
溝６３の内面（対向する側面６３ａ、６３ｂおよび底面６３ｃ）には可視光を反射する反射膜（不図示）が形成されている。さらに、溝６３は、その周方向に沿って２つの領域（第１領域および第２領域）に区分されており、第１領域の反射膜の上には第１蛍光体層６４が形成され、第２領域の反射膜の上には第２蛍光体層６５が形成されている。第１蛍光体層６４を形成している蛍光体は、レーザ光によって励起されると緑色光を放出する。一方、第２蛍光体層６５を形成している蛍光体は、レーザ光によって励起されると赤色光を放出する。
【００２７】
ここで、レーザ光によって励起された蛍光体から放出される光は散乱する。蛍光体層６４、６５は、溝６３の内側に設けられているので、蛍光体層６４、６４から発せられた光は溝６３の内側で反射を繰り返す。さらに、図６に示すように、溝６３の幅（Ｗ）は、レーザ光３１のスポットサイズ（Ｄ３）よりも狭い。したがって、蛍光体層６４、６５から発せられる光３２の直径は、レーザ光３１のスポットサイズ（Ｄ３）よりも小さい。したがって、図４に示す光源装置２０を用いて投写型表示装置の照明光学系を構成した場合、照明光学系のエテンデューと投写光学系のエテンデューとを容易にマッチングさせることができ、投写型表示装置全体の明るさを向上させることができるメリットがある。
【００２８】
加えて、本実施形態では、溝６３の内面６３ａ、６３ｂ、６３ｃに形成された反射膜の上に蛍光体層６４、６５が積層されている。よって、蛍光体層６４、６４から発せられた光がガラス基板６１に吸収されることがなく、光の損失が少ない。
【００２９】
一方、溝６３の幅（Ｗ）がレーザ光３１のスポットサイズ（Ｄ３）よりも狭いため、図６に示すように、レーザ光３１の縁部分は溝６３からはみ出る。換言すれば、レーザ光３１の縁部分は、蛍光体層６４、６５に照射されない。しかし、レーザ光３１の強度分布はガウシアン分布なので、縁部分の強度はそれほど高くない。よって、光損失は僅かであり、少なくとも、上記メリットは光損失を上回る。なお、溝６３の幅（Ｗ）がレーザ光３１のスポットサイズ（Ｄ３）と同一であるか、スポットサイズ（Ｄ３）よりも大きい場合であっても上記メリットが得られる場合がある。例えば、溝６３の幅（Ｗ）が図３に示す光１２の直径（Ｄ１）よりも小さければ、エテンデューは小さくなる。
【００３０】
ここで、蛍光体層６４、６５の厚みが薄過ぎると、波長変換されずにカラーホイル６０から出ていくレーザ光（励起光）の量が多くなる。一方、蛍光体層６４、６５の厚みが厚過ぎると、２回以上波長変換される光や蛍光体に吸収される光の量が多くなる。そこで、蛍光体の粒径が数十μmであることを考慮すると、各蛍光体層６４、６５の厚みは、５０μm以下３００μm以下であることが好ましい。換言すれば、溝６３の深さは、５０μm以下３００μm以下であることが好ましい。もっとも、蛍光体の粒径に応じて各蛍光体層６４、６５の好ましい厚みは変化する。
【００３１】
図４、図５を参照して光源装置２０の動作について説明する。ＬＤ３０から出射されたレーザ光（青色光）は、ダイクロイックミラー５０によって反射され、第１のレンズ群に入射する。第１のレンズ群に入射したレーザ光は、該第１のレンズ群によって平行化される。第１のレンズ群から出射したレーザ光は、回転するガラス基板６１に入射する。具体的には、図５に示す溝６３の第１領域または第２領域に入射する。換言すれば、レーザ光は、ガラス基板６１上の第１蛍光体層６４または第２蛍光体層６５に入射する。レーザ光が第１蛍光体層６４に入射した場合、第１蛍光体層６４から緑色光が発せられる。一方、レーザ光が第２蛍光体層６５に入射した場合、第２蛍光体層６５から赤色光が発せられる。蛍光体層６４、６５から発せられた光（緑色光または赤色光）は、再び第１のレンズ群を透過して平行化され、ダイクロイックミラー５０を透過する。ダイクロイックミラー５０を透過した光は、集光レンズ７０、ロッドレンズ７１およびリレーレンズ群７２を順に透過して反射ミラー７３に入射する。反射ミラー７３に入射した光は、該反射ミラー７３によって所定の照明対象に向けて反射される。
【００３２】
一方、青色ＬＥＤ４０から出射された光（青色光）は、第２のレンズ群に入射する。第２のレンズ群に入射した光は、該第２のレンズ群によって平行化される。第２のレンズ群から出射した光は、ダイクロイックミラー５０によって反射されて集光レンズ７０に入射する。集光レンズ７０から出射した光は、ロッドレンズ７１およびリレーレンズ群７２を順に透過して反射ミラー７３に入射する。反射ミラー７３に入射した光は、該反射ミラー７３によって所定の照明対象に向けて反射される。
【００３３】
なお、光（赤色光、緑色光および青色光）は、ロッドレンズ７１を通過する過程でその輝度分布が均一化される。また、ロッドレンズ７１から出射される光（光束）の断面は、略矩形に整形される。さらに、反射ミラー７３によって照明対象に照射される光の断面積は、照明対象上の照明領域よりも僅かに大きい。
【００３４】
図７にカラーホイルの変形例を示す。図６に示すカラーホイル６０と図７に示すカラーホイル６０との相違点は、溝６３の断面形状である。図６に示すカラーホイル６０上の溝６３の幅は一定である。一方、図７に示すカラーホイル６０上の溝６３の幅は一定ではない。具体的には、溝６３の幅は、ガラス基板６１の裏面側６１ａから表面側６１ｂに向けて次第に拡大している。換言すれば、対向する側面６３ａと６３ｂとの間の距離が次第に拡大している。さらに換言すれば、対向する側面６３ａと６３ｂが、互いに離間するように傾斜している。結果、溝６３の底面６３ｃと各側面６３ａ、６３ｂとが成す角度は９０度よりも大きい。もっとも、溝６３の最大幅は、レーザ光３１のスポットサイズ（Ｄ３）よりも狭い。
【００３５】
蛍光体から放出された光は、上記のように傾斜している側面６３ａ、６３ｂ上に形成されている反射膜によって反射される。結果、蛍光体層６４、６５から発せられる光３２の角度分布が小さくなり、光３２の直径がさらに小さく絞られる。
【００３６】
ガラス基板６１は金属基板（例えば、アルミ基板）に変えることができる。反射膜は光学多層膜や金属膜によって形成することができる。ダイクロイックミラー５０は、クロスダイクロイックプリズムに変えることができる。ロッドレンズ７１はレンズアレイに変えることができる。
【００３７】
溝６３をその周方向に沿って３つの以上の領域に区分し、各領域に異なる蛍光体層を形成してもよい。例えば、第１領域には緑色光を発する蛍光体層を形成し、第２領域には赤色光を発する蛍光体層を形成し、第３領域には青色光を発する蛍光体層を形成する。この場合、図４に示す青色ＬＥＤ４０を省略してもよい。また、溝６３を３つ以上の領域に区分する場合、２つ以上の領域に同一の蛍光体層を形成してもよい。
【００３８】
図８は、図４に示す光源装置２０を備えた投写型表示装置８０の外観斜視図である。投写型表示装置８０は、合成樹脂製の筺体８１を有する。筺体８１の前面には投写レンズ８２が設けられ、背面には各種コネクタ８３や電源スイッチ８４などが設けられている。また、筺体８１の上面には、複数の操作ボタン８５を含む操作パネル８６が設けられている。
【００３９】
図９は、図８に示されている投写型表示装置８０の内部構造を示す模式図である。投写型表示装置８０は、画像形成素子としてＤＭＤ８７を備えている。ＤＭＤ８７は、光源装置２０によって照明される。具体的には、光源装置２０の反射ミラー７３によって反射された光がＤＭＤ８７に照射される。ＤＭＤ８７は、照射された光を映像信号に従って変調して画像光を形成する。形成された画像光は、投写レンズ８２を介して不図示のスクリーン上に投写される。
【００４０】
ここで、ＤＭＤ８７と光源装置２０とは同期が取られている。具体的には、ＤＭＤ８７によって赤色を表示すべきときには、第２蛍光体層６５（図５）にレーザ光が照射されるように、ガラス基板６１の回転角度、回転速度、ＬＤ３０の発光タイミングが設定されている。また、ＤＭＤ８７によって緑色を表示すべきときには、第１蛍光体層６４（図５）にレーザ光が照射されるように、ガラス基板６１の回転角度、回転速度、ＬＤ３０の発光タイミングが設定されている。さらに、ＤＭＤ８７によって青色を表示すべきときには、青色ＬＥＤ４０が発光するとともに、ガラス基板６１にレーザ光が照射されないように、青色ＬＥＤ４０およびＬＤ３０の発光タイミングが設定されている。
【００４１】
なお、画像形成素子には、ＤＭＤ８７に代えて液晶パネルを用いることもできる。
（第２の実施形態）
以下、本発明の光源装置の第２の実施形態について説明する。図１０は、本実施形態に係る光源装置９０の構成を示す模式図である。本実施形態に係る光源装置９０の基本構成は、第１の実施形態に係る光源装置２０と同一である。そこで、光源装置２０との相違点についてのみ以下に説明し、共通点についての説明は省略する。
【００４２】
光源装置９０は、ＬＤ３０、青色ＬＥＤ４０に加えて、第２の固体光源（赤色発光ダイオード）４０を有する。また、光源装置９０では、図４に示すダイクロイックミラー５０の代わりにクロスダイクロイックプリズム５１が用いられており、ロッドレンズ７１の代わりにレンズアレイ７５が用いられている。さらに、ガラス基板６１上の溝（不図示）の内側には第１蛍光体層（不図示）のみが設けられている。なお、以下の説明では、赤色発光ダイオード４０を“赤色ＬＥＤ４１”と表記する。
【００４３】
光源装置９０の動作について説明する。ＬＤ３０から出射されたレーザ光（青色光）は、反射ミラー１００によって反射されてクロスダイクロイックプリズム５１に入射する。クロスダイクロイックプリズム５１に入射した光は、プリズム内の反射膜によって反射されて、回転するガラス基板６１に入射する。具体的には、レーザ光がガラス基板６１上の第１蛍光体層に入射し、第１蛍光体層から緑色光が発せられる。第１蛍光体層から発せられた緑色光は、再びクロスダイクロイックプリズム５１に入射する。クロスダイクロイックプリズム５１に入射した緑色光は、プリズム内の反射膜を透過してレンズアレイ７５に入射する。
【００４４】
赤色ＬＥＤ４１から出射された光（赤色光）は、反射ミラー１０１によって反射されてクロスダイクロイックプリズム５１に入射する。クロスダイクロイックプリズム５１に入射した青色光は、プリズム内の反射膜によって反射されてレンズアレイ７５に入射する。
【００４５】
青色ＬＥＤ４０から出射された光（青色光）はクロスダイクロイックプリズム５１に入射する。クロスダイクロイックプリズム５１に入射した青色光は、プリズム内の反射膜によって反射されてレンズアレイ７５に入射する。
【００４６】
上記のようにしてレンズアレイ７５に入射した各色光は、該レンズアレイ７５によって複数の矩形光源に分割される。分割された矩形光源は、コンデンサレンズ７６、反射ミラー７３を介して所定の照明対象を照明する。このとき、コンデンサレンズ７６によって分割された複数の矩形光源が照明対象上で重畳される。結果、照明対象は、必要十分な大きさと均一な輝度分布を有する光によって照明される。
【００４７】
なお、図１０に示す光路上には、必要に応じてコリメータレンズ群を設けることができる。また、図９に示す光源装置２０を上記光源装置９０に置換可能であることはもちろんである。
【００４８】
また、レーザ光源はレーザダイオード（半導体レーザ）に限られず、固体レーザ、液体レーザ、ガスレーザなどを用いることもできる。また、固体光源はＬＥＤに限られず、レーザ光源を用いることもできる。この場合、レーザ光源から出射されたレーザ光をそのまま利用することになるので、出力の小さなレーザ光源を使用することが好ましい。
【符号の説明】
【００４９】
２０、９０  光源装置
３０  レーザダイオード（ＬＤ）
４０  青色発光ダイオード（青色ＬＥＤ）
４１  赤色発光ダイオード（赤色ＬＥＤ）
５０  ダイクロイックミラー
５１  ダイクロイックプリズム
６０  カラーホイル
６１  ガラス基板
６２  モータ
６３  溝
６４  第１蛍光体層（緑色蛍光体層）
６５  第２蛍光体層（赤色蛍光体層）
７０  集光レンズ
７１  ロッドレンズ
７２  リレーレンズ群
７３  反射ミラー
７５  レンズアレイ
【図１】
2012137305.tif 000003
【図２】
2012137305.tif 000004
【図３】
2012137305.tif 000005
【図４】
2012137305.tif 000006
【図５】
2012137305.tif 000007
【図６】
2012137305.tif 000008
【図７】
2012137305.tif 000009
【図８】
2012137305.tif 000010
【図９】
2012137305.tif 000011
【図１０】
2012137305.tif 000012
【国際調査報告】
2012137305.tif 000013
2012137305.tif 000014
2012137305.tif 000015
2012137305.tif 000016
2012137305.tif 000017